(57)【要約】摂取可能な生成物を収容するためのパッケージ（１０）およびその使用方法が提供される。パッケージ（１０）は、パッケージ（１０）内に収容された摂取可能な流動性生成物の偶発的な漏出または漏れを防止するように設計された、カスタマイズされた機能パッケージであってもよい。一般的な実施形態において、可撓性パッケージ（１０）であって、流動性の生成物を収容するための空洞（１４）および空洞から流動性の生成物を供給するための流路（１６）を形成している本体（１２）を含み、流路（１６）の長さが、流路の幅の約２〜約４倍である可撓性パッケージ（１０）が提供される。別の実施形態において、流路（１６）は、可撓性パッケージに力が加えられていない場合に、液体が可撓性パッケージ（１０）から漏れることを防止するのに十分な長さと幅との比率を備える。【選択図】図１
2015508363.tif 000002
【特許請求の範囲】
【請求項１】
可撓性パッケージであって、
流動性の生成物を収容するための空洞および前記空洞から前記流動性の生成物を供給するための流路を形成している本体であって、前記流路の端にある封止部が、供給のために除去されるように構成されている本体を備え、
前記流路が、前記可撓性パッケージに力が加えられていない場合に、液体が前記可撓性パッケージから漏れることを防止するのに十分な長さと幅との比率を有し、
前記可撓性パッケージへの外圧がない場合に前記空洞から前記流動性の生成物が供給されないように、前記流動性の生成物の毛細管力によって前記流路が塞がれている、可撓性パッケージ。
【請求項２】
前記流路の長さが、前記流路の幅の約２〜約４倍である、請求項１に記載の可撓性パッケージ。
【請求項３】
前記流路の長さが、前記流路の幅の約３倍である、請求項１に記載の可撓性パッケージ。
【請求項４】
前記流路の長さが、約１２ｍｍ〜約４０ｍｍである、請求項１に記載の可撓性パッケージ。
【請求項５】
前記流路の長さが、約１６ｍｍ〜約３６ｍｍである、請求項１に記載の可撓性パッケージ。
【請求項６】
前記流路の長さが、約２０ｍｍ〜約３２ｍｍである、請求項１に記載の可撓性パッケージ。
【請求項７】
前記流路の長さが、約２４ｍｍ〜約２８ｍｍである、請求項１に記載の可撓性パッケージ。
【請求項８】
前記流路の幅が、約６ｍｍ〜約１０ｍｍである、請求項１に記載の可撓性パッケージ。
【請求項９】
前記流路の幅が、約７ｍｍ〜約９ｍｍである、請求項１に記載の可撓性パッケージ。
【請求項１０】
前記封止部の幅が、約３〜約７ｍｍである、請求項１に記載の可撓性パッケージ。
【請求項１１】
前記流路が、前記可撓性パッケージの幅の中心に配置されている、請求項１に記載の可撓性パッケージ。
【請求項１２】
前記流路が、前記可撓性パッケージの幅の中心からずらして配置されている、請求項１に記載の可撓性パッケージ。
【請求項１３】
前記可撓性パッケージが、パウチである、請求項１に記載の可撓性パッケージ。
【請求項１４】
前記本体が、互いに封止接着された少なくとも２つの複合層を備える、請求項１に記載の可撓性パッケージ。
【請求項１５】
前記本体が、互いに熱融着された少なくとも２つの複合層を備える、請求項１に記載の可撓性パッケージ。
【請求項１６】
前記本体の形状が、四角形、円形、三角形、五角形、六角形、七角形、八角形、九角形、十角形、十一角形、十二角形、およびこれらの組合せからなる群から選択される、請求項１に記載の可撓性パッケージ。
【請求項１７】
前記流路の形状が、正方形、矩形、円筒形、およびこれらの組合せからなる群から選択される、請求項１に記載の可撓性パッケージ。
【請求項１８】
摂取可能な流動性生成物の必要性に応じて該摂取可能な流動性生成物を摂取者に供与するための方法であって、
請求項１〜１７のいずれか一項に記載の可撓性パッケージからなる群から選択される可撓性パッケージを用意するステップと、
前記封止部の除去を摂取者に指示するステップと、
前記流動性の生成物を前記摂取者に供与するために前記可撓性パッケージに力を加えるよう前記摂取者に指示するステップと
を含む方法。
【請求項１９】
前記力が、前記可撓性パッケージの押圧、前記可撓性パッケージの揺動、およびこれらの組合せからなる群から選択される、請求項１８に記載の方法。
【請求項２０】
前記除去が、引裂き、切断、捩じり、螺脱、破壊、およびこれらの組合せからなる群から選択される、請求項１８に記載の方法。
【発明の詳細な説明】
【技術分野】
【０００１】
[0001]本開示は、一般に包装に関する。より具体的には、本開示は、摂取可能な生成物を格納するための容器およびその使用方法に関する。
【背景技術】
【０００２】
[0002]摂取可能な生成物用のパッケージには、様々なサイズ、形状、材料、および設計がある。一般にこれらのサイズ、形状、材料、および設計は、例えば、審美的理由から、または、包装によって収容されるための生成物に関係する理由から様々である。例えば、摂取可能な棒状の固形生成物を収容するように設計された可撓性パッケージは、殺菌したゲル状の生成物を収容するのに十分でない可能性がある。したがって、摂取可能な生成物用の包装は、特定の機能および／または包装によって収容されるための特定の食品生成物のために設計されるべきである。
【発明の概要】
【課題を解決するための手段】
【０００３】
[0003]本開示は、摂取可能な生成物を収容するためのパッケージに関する。パッケージは、パッケージ内に収容された摂取可能な流動性生成物の偶発的な漏出または漏れを防止するように設計された、カスタマイズされた機能パッケージであってもよい。一般的な実施形態において、可撓性パッケージが提供される。可撓性パッケージは、流動性の生成物を収容するための空洞および空洞から流動性の生成物を供給するための流路を形成している本体を含み、流路の長さは、流路の幅の約２〜約４倍である。
【０００４】
[0004]別の実施形態において、可撓性パッケージが提供される。可撓性パッケージは、液体生成物を収容するための空洞および空洞から液体生成物を供給するための流路を形成している本体を含み、流路は、十分な力が可撓性パッケージに加えられていない場合に液体が可撓性パッケージから漏れることを防止するのに十分な長さと幅との比率を有する。
【０００５】
[0005]実施形態において、流路の長さは、流路の幅の約２〜約４倍である。あるいは、流路の長さは、流路の幅の約２．５〜約３倍であってもよい。
【０００６】
[0006]実施形態において、流路の長さは、約１２ｍｍ〜約４０ｍｍ、または約１４ｍｍ〜約３８ｍｍ、または約１６ｍｍ〜約３６ｍｍ、または約１８ｍｍ〜約３４ｍｍ、または約２０ｍｍ〜約３２ｍｍ、または約２２ｍｍ〜約３０ｍｍ、または約２４ｍｍ〜約２８ｍｍである。
【０００７】
[0007]実施形態において、流路の幅は、約６ｍｍ〜約１０ｍｍ、または約７ｍｍ〜約９ｍｍ、または約８ｍｍである。
【０００８】
[0008]実施形態において、流路は、可撓性パッケージの幅の中心に配置される。流路の長さは、流路の幅の約３倍であってもよい。
【０００９】
[0009]実施形態において、流路は、可撓性パッケージの幅の中心からずらして配置される。流路の長さは、流路の幅の約２．５倍である。
【００１０】
[0010]実施形態において、流路の形状は、正方形、矩形、円筒形、またはこれらの組合せからなる群から選択される。
【００１１】
[0011]実施形態において、可撓性パッケージは、流路の端に封止部をさらに含む。封止部の幅は、約３〜約７ｍｍまたは約４〜約６ｍｍまたは約５ｍｍであってもよい。
【００１２】
[0012]実施形態において、本体の形状は、四角形、円形、三角形、五角形、六角形、七角形、八角形、九角形、十角形、十一角形、十二角形、またはこれらの組合せからなる群から選択される。
【００１３】
[0013]実施形態において、可撓性パッケージはパウチである。
【００１４】
[0014]実施形態において、本体は、互いに封止接着された少なくとも２つの複合層を含む。少なくとも２つの複合層は、互いに熱融着されてもよい。
【００１５】
[0015]さらに別の実施形態において、摂取可能な流動性生成物の必要性に応じて摂取可能な流動性生成物を摂取者に供与するための方法が提供される。本方法は、流動性の生成物を収容するための空洞と、空洞から流動性の生成物を供給するための流路であって、流路の長さが、流路の幅の約２〜約４倍である流路とを形成している本体を有する可撓性パッケージを用意することを含む。本方法は、流動性の生成物を摂取者に供与するために可撓性パッケージに力を加えるよう摂取者に指示することをさらに含む。
【００１６】
[0016]さらに別の実施形態において、摂取可能な流動性生成物の必要性に応じて摂取可能な流動性生成物を摂取者に供与するための方法が提供される。本方法は、液体生成物を収容するための空洞と、空洞から液体生成物を供給するための流路であって、十分な力が可撓性パッケージに加えられていない場合に液体が可撓性パッケージから漏れることを防止するのに十分な長さと幅との比率を有する流路とを形成している本体を有する可撓性パッケージを用意すること、および、流動性の生成物を摂取者に供与するために可撓性パッケージに力を加えるよう摂取者に指示することを含む。
【００１７】
[0017]実施形態において、力は、可撓性パッケージの押圧、可撓性パッケージの揺動、またはこれらの組合せからなる群から選択される。
【００１８】
[0018]実施形態において、流路の長さは、流路の幅の約２〜約４倍または流路の幅の約２．５もしくは３倍である。
【００１９】
[0019]実施形態において、流路の長さは、約１２ｍｍ〜約４０ｍｍ、または約１４ｍｍ〜約３８ｍｍ、または約１６ｍｍ〜約３６ｍｍ、または約１８ｍｍ〜約３４ｍｍ、または約２０ｍｍ〜約３２ｍｍ、または約２２ｍｍ〜約３０ｍｍ、または約２４ｍｍ〜約２８ｍｍである。
【００２０】
[0020]実施形態において、流路の幅は、約６ｍｍ〜約１０ｍｍ、または約７ｍｍ〜約９ｍｍ、または約８ｍｍである。
【００２１】
[0021]実施形態において、流路は、可撓性パッケージの幅の中心に配置される。流路の長さは、流路の幅の約３倍である。
【００２２】
[0022]実施形態において、流路は、可撓性パッケージの幅の中心からずらして配置される。流路の長さは、流路の幅の約２．５倍である。
【００２３】
[0023]実施形態において、流路の形状は、正方形、矩形、円筒形、またはこれらの組合せからなる群から選択される。
【００２４】
[0024]実施形態において、可撓性パッケージは、流路の端に封止部をさらに含む。封止部の幅は、約３〜約７ｍｍ、約４〜約６ｍｍ、または約５ｍｍであってもよい。
【００２５】
[0025]実施形態において、本体の形状は、四角形、円形、三角形、五角形、六角形、七角形、八角形、九角形、十角形、十一角形、十二角形、またはこれらの組合せからなる群から選択される。
【００２６】
[0026]実施形態において、可撓性パッケージはパウチである。
【００２７】
[0027]実施形態において、本体は、互いに封止接着された少なくとも２つの複合層を含む。少なくとも２つの複合層は、互いに熱融着されてもよい。
【００２８】
[0028]改善された、摂取可能な生成物用の容器が提供されることは、本開示の利点である。
【００２９】
[0029]容器内の流動性の内容物の偶発的な漏出または漏れを防止する、摂取可能な生成物用の容器が提供されることもまた、本開示の利点である。
【００３０】
[0030]特定の用途に合わせて容器の寸法が最適化される、摂取可能な生成物用の容器が提供されることは、本開示の別の利点である。
【００３１】
[0031]身体活動中の摂取のために摂取者によって容易に取り扱われる、摂取可能な生成物用の容器が提供されることは、本開示のさらなる利点である。
【００３２】
[0032]さらなる特徴および利点は、本明細書において説明され、以下の詳細な説明および図面から明らかとなる。
【図面の簡単な説明】
【００３３】
【図１】本開示の実施形態に係る、摂取可能な生成物用の可撓性の容器を示している。
【発明を実施するための形態】
【００３４】
[0034]定義
[0035]本明細書で使用される場合、「毛細管力」という用語は、重力のような外力の助けなしに、および重力のような外力に反して狭い空間内を流れる液体の能力を含むものとして理解されることが好ましい（http://en.wikipedia.org/wiki/Capillary_action）。
【００３５】
[0036]本開示は、摂取可能な生成物を収容するためのパッケージを提供する。パッケージは、身体活動の前、最中、または後の摂取者（例えば、運動選手）による使用を容易にするためにカスタム設計されてもよい。例えば、激しい身体活動の最中、運動選手は、運動能力の改善もしくは持続または精神的敏捷性の向上のために炭水化物および電解質などの特定の栄養素を適切なレベルに維持することを望む。このような栄養素を、例えばパフォーマンスバー（ｐｅｒｆｏｒｍａｎｃｅ  ｂａｒ）として提供することが知られている。パフォーマンスバーは、持続力または持久力に適した栄養素を個人に提供するが、個人は、これらの種類のパフォーマンスバーの摂取を楽しまない可能性がある。この点に関して、パフォーマンス合成物（ｐｅｒｆｏｒｍａｎｃｅ  ｃｏｍｐｏｓｉｔｉｏｎ）は、運動の最中に摂取することが困難な場合もあるし、または、運動の前または最中に摂取するにはあまりに濃密であるか、もしくはあまりに重たい場合もあるし、または、粉っぽい（ｃｈａｌｋｙ）もしくはさっぱりし過ぎた味がする場合もある。
【００３６】
[0037]あるいは、ゲルの形態で持続力または持久力に適した栄養素を提供することも知られている。このようなゲルは、一般的には、可撓性のパウチ状の包装内に存在しており、激しい活動の遂行中に運動選手によって容易に摂取され得る。この点に関して、運動選手に必要とされる唯一の動作は、（ｉ）可撓性のパウチを押圧して、運動選手の口内にゲルを押し出すこと、または、（ｉｉ）ゲルパッケージを逆さまにひっくり返して、重力により、ゲル生成物がパッケージから自然に流れ出るようにすることのいずれかである。しかしながら、パッケージをひっくり返す場合、ゲル生成物の粘度および大分部のパッケージの形状により、ゲル生成物の大部分がパッケージから流れ出ることが阻害される。したがって、偶発的な漏出時にパッケージ内にゲルを保持するように構成された短い供給路を有するゲルパッケージが実現されてもよい。しかしながら、粘性のより低い、より液体状の生成物が、パッケージ内に含まれている場合、パッケージを単にひっくり返すだけで、パッケージ内に含まれている、全部ではないが大量の生成物が失われる可能性がある。
【００３７】
[0038]本開示のパッケージは、パッケージの開封後に低粘度または液体の生成物の偶発的な漏出を防止する可撓性のパウチ状のパッケージを実現する。パッケージに収容される摂取可能な生成物は、例えば液体、半固体、ゲルなどを含む任意の流動性の摂取可能な生成物であってもよい。実施形態において、摂取可能な生成物は、液体生成物である。しかしながら、本開示の教示は、液体生成物に限定されておらず、流動することができる任意の生成物を含んでもよい。当業者は、本パッケージまたは容器内に含まれる生成物の粘度が、少なくとも部分的に温度によって決定され得ることを理解するだろう。例えば、高温時の物質の粘性は、相対的に低くなり得る一方で、低温時の同じ物質の粘性は、相対的に高くなり得る。
【００３８】
[0039]実施形態において、図１に示されているように、摂取可能な生成物を格納するためのパッケージ１０が提供される。パッケージ１０は、一定の形状を形成している本体１２を含む。本体１２の形状およびサイズは、決定的に重要ではなく、本体１２は、当業者によって知られている任意のサイズまたは形状を有してもよい。例えば、本体１２は、四角形、円形、三角形、五角形、六角形、七角形、八角形、九角形、十角形、十一角形、十二角形、またはこれまでに列挙した形状のうちの任意の形状の三次元バージョン、またはこれらの組合せであってもよい。また、本体１２は、本体１２が摂取可能な流動性生成物を収容することができる限り特定のサイズに限定されない。
【００３９】
[0040]本体１２は、封止可能な可撓性材料（例えば、可撓性のプラスチックフィルムなど）から作製されてもよい。実施形態において、本体１２は、可撓性のパウチであり、これは、硬質の容器に勝るいくつかの利点を有する。例えば、可撓性のパウチの形状は、利用可能な空間に適合し、パウチの重量は、硬質の容器よりも軽く、内容物が空になったときにパウチが必要とする空間が相対的に少なく、内容物が充填されたときに厚さの寸法が小さく、より速い処理時間が可能となり、食品の熱損傷が軽減され、パウチは腐食または破損せず、パウチは、激しい身体活動中に運動選手によって容易に開封される。
【００４０】
[0041]また、本体１２は、可撓性の複合パッケージであってもよい。実施形態において、本体１２は、基材の約２〜約４つの層または約３つの層を有する封止可能な可撓性の複合パッケージである。基材は、例えば、可撓性のプラスチックフィルム、不浸透性層、またはこれらの組合せを含んでもよい。実施形態において、本体１２は、摩耗および引裂きに耐える外側の高分子層と、摩耗および引裂きに耐え、かつ十分に封止する内側の高分子層と、内容物から光を除去するための、およびパウチ材料をガス不浸透性にするためのアルミニウム箔の中間層とを含む。これらの層は、接着剤によって互いに接合されてもよい。実施形態において、本体１２は、（ｉ）約１０〜約１５μｍ厚または約１２μｍ厚のポリエチレンテレフタレートの層、（ｉｉ）約５μｍ〜約１０μｍ厚または約７μｍ厚のアルミニウム箔の層、および（ｉｉｉ）約６０μｍ〜約８０μｍまたは約７０μｍ厚のポリエチレンの層を含む。実施形態において、本体１２は、互いに封止接着された可撓性のプラスチックフィルムを備える２つの層（すなわち、単層または複合層）から形成される。
【００４１】
[0042]本体１２は、空洞１４から摂取可能な流動性生成物を供給するための流路１６を含む空洞１４内に摂取可能な流動性生成物を収容するように構成および配置されている。空洞１４および流路１６の形状は、少なくとも部分的に、本体１２の封止部１８によって形成されている。封止部１８は、本体１２を形成するように互いに封止接着された可撓性のプラスチックフィルムを備える上層および下層（すなわち、単層または複合層）から形成されている。言い換えれば、空洞１４および流路１６の形状およびサイズは、互いに封止接着されていない上層および下層の部分によって決定されている。
【００４２】
[0043]実施形態において、図１に示されているように、空洞１４は、封止部１８から形成された実質的に四角形の形状を有する。さらに図１に示されているように、空洞１４は、流路１６につながっている第１の傾斜部２０および第２の傾斜部２２を有する側部を含む。傾斜部２０、２２を設けることによって、空洞１４内に収容された摂取可能な流動性生成物が、空洞１４から流路１６内に向かって円滑に流れて、パッケージ１０から供給されることが促される。第１の傾斜部２０の長さが、第２の傾斜部２２よりも大幅に長い（すなわち、流路１６が、パッケージ１０の中心からずらされていて、流路１６が、第１の傾斜部２０よりも第２の傾斜部２２の近傍にある）ため、第２の傾斜部２２は、急な傾斜部を有しており、この結果、パッケージ１０の第２の傾斜部２２の側の摂取可能な流動性生成物が、空洞１４から流路１６内に流れることが促されるようになっている。
【００４３】
[0044]さらに、図１に示されている実施形態は、第１の傾斜部２０および第２の傾斜部２２がそれぞれ流路１６に出会う第１の肩部２４および第２の肩部２６を示している。図に明瞭に示されているように、第１の肩部２４の高さは、パッケージ１０の縦方向に関して第２の肩部２６よりも低くなっている。言い換えれば、第１の肩部２４は、パッケージ１０の縦方向に関して第２の肩部２６と同じ水平位置にない。出願人は、いかなる理論にも拘束されることなく、図１で構成されたような第１の傾斜部２０、第２の傾斜部２２、第１の肩部２４、および第２の肩部２６を設けることが、生成物の偶発的な漏出の発生しない、パッケージ１０からの摂取可能な流動性生成物の改善された供給の実現に役立つと考えている。しかしながら、出願人はさらに、流路に関する測定値が、以下でさらに述べられる、図示のような流路１６に関する測定値とわずかに異なり得るものの、流路１６が中心に配置されたパッケージ１０を形成することが可能であってもよいと考えている。
【００４４】
[0045]流路１６の寸法は、空洞１４内に収容された摂取可能な流動性生成物が流路１６内に流れ始めるときに重要となる。いかなる理論にも拘束されることなく、出願人は、流路１６の特定の寸法によって、パッケージ１０の開封後に摂取可能な流動性生成物の偶発的な漏出または漏れを発生させることなく、パッケージ１０に力を加えること（例えば、揺動または押圧）によって摂取可能な流動性生成物を供給することが可能であると考えている。実際に、出願人は、流路１６の幅２８および流路１６の長さ３０と幅２８との比率が、一定の範囲内であるべきことを発見した。
【００４５】
[0046]流路１６の幅２８に関して、出願人は、驚いたことに、幅２８が、約６ｍｍ〜約１０ｍｍもしくは約７ｍｍ〜約９ｍｍの範囲内または約８ｍｍであるべきことを発見した。幅２８は、流路１６の長さ３０方向に沿って一定であってもよいし、または、長さ３０方向に沿って変化してもよい。実施形態において、幅２８は、流路の長さ３０方向に沿って一定である。流れが流路１６を通過し始めると、流路１６は、半径範囲（図示せず）を有する三次元構造になる。望ましくない襞は、流路１６を通過する生成物の流れを容易に中断させ得るため、一定の半径範囲を有することは重要である。
【００４６】
[0047]流路１６の長さ３０に関して、出願人は、驚いたことに、長さ３０が、幅２８の約２〜約４倍または幅２８の約２．５倍もしくは約３倍であるべきことを発見した。例えば、流路１６の長さ３０は、約１２ｍｍ〜約４０ｍｍ、または約１４ｍｍ〜約３８ｍｍ、または約１６ｍｍ〜約３６ｍｍ、または約１８ｍｍ〜約３４ｍｍ、または約２０ｍｍ〜約３２ｍｍ、または約２２ｍｍ〜約３０ｍｍ、または約２４ｍｍ〜約２８ｍｍの範囲であってもよいし、または、約１８、２０、２２、２４、２６、もしくは２８ｍｍであってもよい。長さ３０が規定の寸法内である場合、出願人は、流路１６を形成している本体１２の上層および下層が互いにくっつき、有効なまたは意図的な量の力が、パッケージ１０の内容物を空にするためにパッケージ１０に加えられなければならないことを発見した。出願人によって実施された様々な実験を通して、流路１６を形成している本体１２の上層および下層は毛細管力に起因して互いにくっつくと考えられる。さらに、パッケージ１０の内容物を空にするためにパッケージ１０に加えられるべき力の量は、本体１２の層を互いにくっつけている毛細管力に打ち勝つのに十分な意図的な力（圧迫または揺動など）であるべきである。
【００４７】
[0048]出願人は、所定の幅の流路１６が設けられているときに、偶発的な漏出および／または漏れの防止に最適な流路１６の長さを決定するために、多くの実験を行った。例えば、図１によって示されているように、パッケージ１０の右側に沿った数の指標は、ゼロ距離の基準点である３６から始まり４６で終わる、流路１６に沿った測定値を示している。３６および３８の指標の双方に対応する流路１６の位置では、特定の幅の封止部３２がパッケージ１０を密閉しているため、流れは流路１６を通過することができない。実施形態において、封止部３２は、熱融着部であってもよい。封止部３２の幅（図１の領域３２によって形成されている）は、約３〜約１０ｍｍもしくは約４〜約８ｍｍまたは約５、６、もしくは７ｍｍであってもよい。十分な幅の封止部３２を設けることによって、パッケージ１０は、包装、輸送、および小売り展示中に発生する一般的な摩耗および引裂きにより良く耐えることができる。この点に関して、十分な幅の封止部３２は、パッケージ１０が偶発的に引き裂かれて開封され得ず、このため、摂取可能な生成物が汚染されないことを保証する。
【００４８】
[0049]実施形態において、パッケージ１０の、図１の指標３８および４０の間には、摂取者が流路１６から生成物を放出するためにパッケージ１０を容易に開封することを手助けする引裂き線３４が設けられてもよい。引裂き線３４は、摂取者による引裂きを容易にするために穿孔されるか、もしくはミシン目を入れられてもよく、また、封止部３２を除去する目的で引裂きを開始することを手助けするために、引裂き線３４の縁に予め切込みを入れた部分を含んでもよい。流路１６の長さ３０が、少なくとも指標４０程度の長さであれば、パッケージ１０に収容された摂取可能な流動性生成物は、偶発的にパッケージ１０から漏出せず、漏れない。あるいは、流路１６の長さ３０が、指標４０よりも短い場合、偶発的な漏出または漏れが発生し得る。例えば、流路１６の長さ３０が、指標４２程度の長さであった場合、生成物の漏れ（例えば、ゆっくりとした流れ）が、パッケージ１０の静かな揺動によって発生し得る。流路１６の長さ３０が、指標４４程度の長さであった場合、パッケージ１０が揺動されなくても、生成物の漏れ（例えば、中程度の流れ）が発生し得る。さらに、流路１６の長さ３０が、指標４６程度の長さであった場合、パッケージ１０に力を加えなくても、生成物の漏れ（例えば、連続的な流れ）が発生し得る。したがって、出願人は、驚いたことに、パッケージ１０の寸法を適切に構成すれば、流路１６を有するパッケージ１０内に含まれている摂取可能な液体状食品生成物の偶発的な漏出または漏れが防止され得ることを発見した。言い換えれば、摂取可能な液体状生成物は、流路１６の長さ３０が幅２８の約２〜約４倍または幅２８の約２．５もしくは３倍の場合に、パッケージ１０から最も漏れにくく、漏出しにくくなる。
【００４９】
[0050]さらに、図１の指標３６、３８、４０、４２、４４、および４６は、パッケージ１０に沿った測定値に対応してもよい。例えば、実施形態において、指標３６は、０ｍｍの基準点であってもよい。実施形態において、指標３８は、指標３６から約２〜約４または約３ｍｍであってもよい。実施形態において、指標４０は、指標３６から約５〜約７または約６ｍｍであってもよい。実施形態において、指標４２は、指標３６から約８〜約１０または約９ｍｍであってもよい。実施形態において、指標４４は、指標３６から約１１〜約１３または約１２ｍｍであってもよい。実施形態において、指標４６は、指標３６から約１４〜約１６または約１５ｍｍであってもよい。
【００５０】
[0051]上記したように、流路１６の配置によっては、流路１６の寸法がわずかに変更されてもよい。例えば、流路１６は、図１では中心からずらされているため、出願人は、流路１６がパッケージ１０の側部の中心に配置されている場合と比較して流路１６を通過する流れにわずかに強く抵抗し得ると考えている。したがって、寸法の小さな変更が、流路１６の長さを最適化するために必要な場合がある。この点に関して、流路１６が、中心からずらされている場合、長さ３０は、幅２８の約２．５〜最大で約３倍のものとして決定されることが最良であり得る一方で、流路１６が、中心に配置されている場合、長さ３０は、幅２８の約３倍のものとして決定されることが最良であり得る。さらに、試験が、流路１６の配置に応じて長さ測定値の精度を確認するために行われる。しかしながら、本明細書は、これに関して本明細書に記載されている本開示によって限定されるべきではない。
【００５１】
[0052]さらに、一定量の力が、パッケージ１０内に含まれている液体を供給するために、特許請求されているパッケージに加えられる必要がある。十分な量の力は、摂取者の指の間でパッケージ１０を挟むことによって摂取者により加えられてもよい。さらに、必要とされる力は、パッケージ１０内に含まれている摂取可能な流動性生成物の粘度または摂取可能な流動性生成物を含んでいるパッケージの温度に依存し得る。この点に関して、摂取可能な流動性生成物は、より温かい気温ではより液体状になり得るため、生成物を供給するために必要な力はより少なくなる。あるいは、摂取可能な流動性生成物は、より寒い気温ではよりゲル状になり得るため、生成物を供給するために必要な力はより大きくなる。
【００５２】
[0053]付加的な特徴として、パッケージ１０は、販売目的で本体１２の外部に設けられる表示（図示せず）を含んでもよい。表示は、例えばロゴ、広告、ブランド情報、栄養情報、製品情報、製造情報などを含んでもよい。表示は、感圧材料に印刷されてもよいし、パッケージ１０に直接印刷されてもよいし、取り外し可能な閉鎖具に印刷されてもよい等々。
【００５３】
[0054]要するに、本開示のパッケージは、パッケージ内に収容されている摂取可能な液体状生成物の偶発的な漏出または漏れを防止するように改善された構造を実現する。さらに、ここで開示されたパッケージの形状は、パッケージ内に形成された流路からの生成物の適正な流れを実現し、流路の長さは、２本の指によって流路を閉鎖することにも役立つ。
【００５４】
[0055]本明細書に記載した好ましい実施形態への様々な変更および修正は、当業者には明らかであることを理解すべきである。このような変更および修正は、本主題の精神および範囲を逸脱することなく、および本主題の所期の利点を損なうことなく行うことができる。したがって、このような変更および修正は添付の特許請求の範囲によって含まれることが意図されている。
【図１】
2015508363.tif 000003
【国際調査報告】
2015508363.tif 000004
2015508363.tif 000005